(57)【要約】【課題】アルミカーテンウォールの耐火補強構造の技術分野に属し、方立及び取り付け金物の変形による耐火ボードの損傷を防止する耐火補強構造を提供する。【解決手段】取り付け金物のコ字形状の開口部は、同開口部内へ耐火ボードを装入した際に同ボードと開口部との間に隙間が生じる大きさの幅寸に形成され、前記開口部に装入した耐火ボードと開口部との間に加熱により容易に焼失する固定材が設置されている。【選択図】図２
2007321349.tif 000002
【特許請求の範囲】
【請求項１】
断面が略コ字形状とする取り付け金物が方立に取り付けられており、隣り合う取付け金物のコ字形状の開口部間に耐火ボードが装入されて成るアルミカーテンウォールの耐火補強構造であって、
前記取り付け金物のコ字形状の開口部は、同開口部内へ耐火ボードを装入した際に同ボードと開口部との間に隙間が生じる大きさの幅寸に形成され、前記開口部に装入した耐火ボードと開口部との間に加熱により容易に焼失する固定材が設置されていることを特徴とする、アルミカーテンウォールの耐火補強構造。
【請求項２】
固定材は、変形が生じやすい加熱面側の耐火ボードと開口部との隙間に設置されていることを特徴とする、請求項１に記載したアルミカーテンウォールの耐火補強構造。
【請求項３】
取り付け金物は、方立の外面又は側面に略コ字形の開口部を横向きに且つ隣り合う取り付け金物の開口部同士が向かい合う配置で取り付けられていることを特徴とする、請求項１又は２に記載したアルミカーテンウォールの耐火補強構造。
【発明の詳細な説明】
【技術分野】
【０００１】
この発明は、アルミカーテンウォールの耐火補強構造の技術分野に属し、更に云うと、方立及び取り付け金物の変形による耐火ボードの損傷を防止する耐火補強構造に関する。
【背景技術】
【０００２】
近年、建物の高層化に伴い、その外装仕様として耐火性能を備えたカーテンウォールが急速に定着しつつある。例えば、図４Ａ、図４Ｂに示すようにアルミ方立１０の側面にコ字形状の取り付け金物２０が取り付けられ、同取り付け金物２０のコ字形状の開口部内に耐火ボード３０を装入した構成で実用に供されている。
【発明の開示】
【発明が解決しようとする課題】
【０００３】
上記図４Ａ、図４Ｂに示したカーテンウォールには、以下のような問題点がある。 
２０００年施行の建築基準法が改正されたことを受けて、新たに導入された性能規定に基づいて耐火設計を行うと、室内条件によって要求耐火時間が決定されて認定耐火時間を超える耐火性能がアルミカーテンウォールに要求されることがある。その場合、耐火性能実験によって耐火性能を確認した上で、仕様を決定する方法が一般的に用いられている。
上記の耐火性能実験は、方立と耐火ボードを一体化した試験体に対して行うため、方立や耐火ボードの個々の耐火性能だけではなく、方立の熱変形（による耐火ボードへの強制変形）によっても耐火性性能が決まることがある。
つまり、アルミ方立１０が加熱を受けると加熱面側Ｉと非加熱面側Ｏに温度差が生じ、加熱面側Ｉに凸となる大変形が生じる。すると、方立１０の取付け金物２０にも大変形が生じ、もっては前記金物２０の内部に装入されている耐火ボード３０も変形し亀裂等の損傷を生じさせ耐火性能を著しく低下させてしまう。したがって、耐火ボード３０自体は十分な耐火性能を有していても、早期に耐火性能が保持できなくなり、本来有している耐火ボードの耐火性能を殆ど発揮できないという問題点がある。
また、方立や取り付け金物の変形による耐火ボードの損傷を防止する技術は未だ見聞きしない。
【０００４】
本発明の目的は、方立及び取り付け金物の変形による耐火ボードの損傷を確実に防止して耐火性能を保持可能な耐火補強構造を提供することにある。
【課題を解決するための手段】
【０００５】
上述した従来技術の課題を解決するための手段として、請求項１に記載した発明に係るアルミカーテンウォールの耐火補強構造において、
断面が略コ字形状とする取り付け金物が方立に取り付けられており、隣り合う取付け金物のコ字形状の開口部間に耐火ボードが装入されて成るアルミカーテンウォールの耐火補強構造であって、
前記取り付け金物のコ字形状の開口部は、同開口部内へ耐火ボードを装入した際に同ボードと開口部との間に隙間が生じる大きさの幅寸に形成され、前記開口部に装入した耐火ボードと開口部との間に加熱により容易に焼失する固定材が設置されていることを特徴とする。
【０００６】
請求項２記載の発明は、請求項１に記載したアルミカーテンウォールの耐火補強構造において、
固定材は、変形が生じやすい加熱面側の耐火ボードと開口部との隙間に設置されていることを特徴とする。
【０００７】
請求項３記載の発明は、請求項１又は２に記載したアルミカーテンウォールの耐火補強構造において、
取り付け金物は、方立の外面又は側面に略コ字形の開口部を横向きに且つ隣り合う取り付け金物の開口部同士が向かい合う配置で取り付けられていることを特徴とする。
【発明の効果】
【０００８】
請求項１〜３に記載した発明に係るアルミカーテンウォールの耐火補強構造は、以下のような効果を奏する。
取り付け金物は、耐火ボートを装入した際に同ボードと金物とに隙間ができるような幅寸に形成し、前記隙間に、焼失する固定材を設置した構成としたので、火災時に方立及び取り付け金物に大変形が生じても、前記固定材が焼失するので耐火ボードと取り付け金物の間の隙間を保持できる。斯くすると、耐火ボードが変形して亀裂等の損傷が生じさせることを確実に防止して、耐火ボードが本来有する耐火性能を確実に保持し、合理的な耐火設計を実現できる。
【発明を実施するための最良の形態】
【０００９】
本発明は、断面が略コ字形状とする取り付け金物２が方立１に取り付けられており、隣り合う取付け金物２のコ字形状の開口部２ａ間に耐火ボード３が装入されて成るアルミカーテンウォールの耐火補強構造である。
前記方立１の取り付け金物２のコ字形状の開口部２ａは、同開口部２ａ内へ耐火ボード３を装入した際に同ボード３と開口部２ａとの間に隙間が生じる大きさの幅寸Ｌに形成され、前記開口部２ａに装入した耐火ボード３と開口部２ａとの間に加熱により容易に焼失する固定材４が設置されている。
【実施例１】
【００１０】
以下、本発明に係るアルミカーテンウォールの耐火補強構造を図１〜３に基づいて説明する。
本発明のアルミカーテンウォールは、例えば防火区画や、図１に示すような上階及び中階及び下階の躯体の外壁の層間区画（スパンドレル）部分に好適に実施される。
【００１１】
本発明のアルミカーテンウォールの耐火補強構造は、躯体の屋内側Ｉ（加熱面側とも云う。）にアルミ合金の押出成型品である方立１を複数固定し、同複数の方立１の側面には取り付け金物２が、そのコ字形状の開口部２ａ同士を横向きに且つ隣り合う配置で取り付けられ、前記取り付け金物２の開口部２ａ間には耐火ボード３が装入された構成とされている（図２Ａ参照）。
【００１２】
前記取付け金物２のコ字形状の開口部２ａは、同開口部２ａ内に耐火ボード３を装入した際に、同ボード３と開口部２ａとに隙間が生じる大きさの幅寸Ｌに形成されている。前記幅寸Ｌは耐火ボート３の厚みに比例して設計されるものである。そして前記開口部２ａに装入した耐火ボード３と開口部２ａとの間に、加熱により容易に焼失する固定材４を設置する（図２Ｂ参照）。前記固定材４は、具体的には、ブラスチック・ゴムなど伸縮機能を有する材料が好ましい。勿論、完全に焼失する必要はなく、上述した隙間を有効に使える範囲内に収縮すれば良い。
【００１３】
前記固定材４は、図示例では変形が生じやすい加熱面側Ｉ（室内側）の耐火ボード３と開口部２ａとの隙間のみに設置しているが、勿論この限りではなく、非加熱面側Ｏ（屋外側）の耐火ボード３と開口部２ａとの隙間にも設置する構成としても良い。
したがって、火災時に方立１及び取り付け金物２に大変形が生じても、前記固定材４が前記火災熱により焼失するので耐火ボード３と取り付け金物２との間に設けた隙間を保持できる。
斯くすると、耐火ボード３に変形による亀裂等の損傷が生じることを確実に防止して、耐火ボード３が本来有する耐火性能を確実に保持し、合理的な耐火設計を実現できる。
【００１４】
本発明の実施形態はこの限りではなく、図３に示すように取り付け金物２が前記方立１の側面ではなく、方立１の外面（室内側Ｉ）へ、取り付け金物２の開口部２ａを横向きに且つ隣り合う取り付け金物２、２の開口部２ａ同士が向かい合う配置に取り付けて実施することも好適に実施される。
【００１５】
以上に実施形態を図面に基づいて説明したが、本発明は、図示例の限りではなく、その技術的思想を逸脱しない範囲において、当業者が通常に行う設計変形、応用のバリエーションの範囲を含むことを念のため付言する。本発明は特に「方立型」のアルミカーテンウォールの耐火補強構造について説明したが、そのほかの形式によるカーテンウォールの耐火ボードを支持する部材に実施可能である。
【図面の簡単な説明】
【００１６】
【図１】本発明に係るアルミカーテンウォールの耐火補強構造の概略を示した縦断面図である。
【図２】Ａは本発明に係るアルミカーテンウォールの耐火補強構造の概略を示した平面図である。Ｂは取り付け金物と耐火ボードの収まりを示した拡大図である。
【図３】本発明に係るアルミカーテンウォールの耐火補強構造の別の実施例を示した平面図である。
【図４】Ａはアルミカーテンウォールの従来例を示した平面図である。Ｂは取り付け金物と耐火ボードの収まりを示した拡大図である。
【符号の説明】
【００１７】
１            方立
２            取り付け金物
２ａ          開口部
３            耐火ボード
４            固定材
【図１】
2007321349.tif 000003
【図２】
2007321349.tif 000004
【図３】
2007321349.tif 000005
【図４】
2007321349.tif 000006